(57)【要約】【課題】ハードディスク装置と光ディスク装置とＶＣＲとの間において、１つのデバイスから複数のデバイスへの一度の操作でダビングすることができる複合型記録再生装置を提供する。【解決手段】システムコントローラは、例えば、ハードディスク装置から光ディスク装置およびＶＤＲへのダビングを行うための第１のダビングモードに設定され、ダビング開始指示されると、光ディスク装置およびＶＣＲを記録動作させると共に、ハードディスク装置を再生動作させる。そして、ハードディスクに記録されているタイトルの再生が完了したことを検知すると、ハードディスク装置の再生動作を停止させると共に光ディスク装置およびＶＣＲの記録動作を停止させ、第１のダビングモードによるダビングを停止させる。【選択図】図４
2008226346.tif 000002
【特許請求の範囲】
【請求項１】
ハードディスクに対して情報の記録／再生を行うハードディスク装置と、光ディスクに対して情報の記録／再生を行う光ディスク装置と、磁気テープに対して情報の記録／再生を行う磁気記録再生装置とを含み構成された複合型記録再生装置において、
ハードディスク装置から光ディスク装置および磁気記録再生装置へのダビングを行うための第１のダビングモードが選択され決定されたとき、光ディスク装置側の入力モードをハードディスク装置側のダビングモードに設定すると共に、磁気記録再生装置側の入力モードをハードディスク装置側／光ディスク装置側のダビングモードに設定する第１のダビングモード設定手段と、
前記第１のダビングモードに設定され、ダビング開始指示が与えられると、光ディスク装置および磁気記録再生装置を記録動作させると共に、ハードディスク装置を再生動作させる第１のダビング動作手段と、
ハードディスクに記録されているタイトルの再生が完了すると、ハードディスク装置の再生動作を停止させると共に光ディスク装置および磁気記録再生装置の記録動作を停止させ、第１のダビングモードによるダビングを停止させる第１のダビング停止手段と、
光ディスク装置からハードディスク装置および磁気記録再生装置へのダビングを行うための第２のダビングモードが選択され決定されたとき、ハードディスク装置側の入力モードを光ディスク装置側のダビングモードに設定すると共に、磁気記録再生装置側の入力モードをハードディスク装置側／光ディスク装置側のダビングモードに設定する第２のダビングモード設定手段と、
前記第２のダビングモードに設定され、ダビング開始指示が与えられると、ハードディスク装置および磁気記録再生装置を記録動作させると共に光ディスク装置を再生動作させる第２のダビング動作手段と、
光ディスクに記録されているタイトルの再生が完了すると、光ディスク装置の再生動作を停止させると共にハードディスク装置および磁気記録再生装置の記録動作を停止させ、第２のダビングモードによるダビングを停止させる第２のダビング停止手段と、
磁気記録再生装置からハードディスク装置および光ディスク装置へのダビングを行うための第３のダビングモードが選択され決定されたとき、ハードディスク装置側の入力モードを磁気記録再生装置側のダビングモードに設定すると共に、光ディスク装置側の入力モードをハードディスク装置側のダビングモードに設定する第３のダビングモード設定手段と、
前記第３のダビングモードに設定され、ダビング開始指示が与えられると、ハードディスク装置を記録動作させると共に磁気記録再生装置を再生動作させる第３の前段ダビング動作手段と、
磁気テープに記録されているタイトルの再生が完了すると、磁気記録再生装置の再生動作を停止させると共にハードディスク装置の記録動作を停止させる第３の前段ダビング停止手段と、
前記磁気記録再生装置の再生動作が停止されると共にハードディスク装置の記録動作が停止された後、光ディスク装置を記録動作させると共にハードディスク装置を再生動作させる第３の後段ダビング動作手段と、
ハードディスクに記録されているタイトルの光ディスクへのダビングが完了すると、ハードディスク装置の再生動作を停止させると共に光ディスク装置の記録動作を停止させる第３の後段ダビング停止手段と、を有するシステムコントローラを備えたことを特徴とする複合型記録再生装置。
【請求項２】
ハードディスクに対して情報の記録／再生を行うハードディスク装置と、光ディスクに対して情報の記録／再生を行う光ディスク装置と、磁気テープに対して情報の記録／再生を行う磁気記録再生装置とを含み構成された複合型記録再生装置において、
ハードディスク装置から光ディスク装置および磁気記録再生装置へのダビングを行うための第１のダビングモードに設定する第１のダビングモード設定手段と、
前記第１のダビングモードに設定され、ダビング開始指示が与えられると、光ディスク装置および磁気記録再生装置を記録動作させると共に、ハードディスク装置を再生動作させる第１のダビング動作手段と、
ハードディスクに記録されているタイトルの再生が完了すると、ハードディスク装置の再生動作を停止させると共に光ディスク装置および磁気記録再生装置の記録動作を停止させ、第１のダビングモードによるダビングを停止させる第１のダビング停止手段と、
光ディスク装置からハードディスク装置および磁気記録再生装置へのダビングを行うための第２のダビングモードに設定する第２のダビングモード設定手段と、
前記第２のダビングモードに設定され、ダビング開始指示が与えられると、ハードディスク装置および磁気記録再生装置を記録動作させると共に光ディスク装置を再生動作させる第２のダビング動作手段と、
光ディスクに記録されているタイトルの再生が完了すると、光ディスク装置の再生動作を停止させると共にハードディスク装置および磁気記録再生装置の記録動作を停止させ、第２のダビングモードによるダビングを停止させる第２のダビング停止手段と、
磁気記録再生装置からハードディスク装置および光ディスク装置へのダビングを行うための第３のダビングモードに設定する第３のダビングモード設定手段と、
前記第３のダビングモードに設定され、ダビング開始指示が与えられると、ハードディスク装置と光ディスク装置を順次的に記録動作させると共に磁気記録再生装置を再生動作させる第３のダビング動作手段と、
磁気テープに記録されているタイトルの再生が完了すると、磁気記録再生装置の再生動作を停止させると共にハードディスク装置と光ディスク装置を順次的に記録動作を停止させる第３のダビング停止手段と、を有するシステムコントローラを備えたことを特徴とする複合型記録再生装置。
【請求項３】
前記第１のダビングモード設定手段は、ハードディスク装置から光ディスク装置および磁気記録再生装置へのダビングを行うための第１のダビングモードが選択され決定されたとき、光ディスク装置側の入力モードをハードディスク装置側のダビングモードに設定すると共に、磁気記録再生装置側の入力モードをハードディスク装置側／光ディスク装置側のダビングモードに設定し、
前記第２のダビングモード設定手段は、光ディスク装置からハードディスク装置および磁気記録再生装置へのダビングを行うための第２のダビングモードが選択され決定されたとき、ハードディスク装置側の入力モードを光ディスク装置側のダビングモードに設定すると共に、磁気記録再生装置側の入力モードをハードディスク装置側／光ディスク装置側のダビングモードに設定し、
前記第３のダビングモード設定手段は、磁気記録再生装置からハードディスク装置および光ディスク装置へのダビングを行うための第３のダビングモードが選択され決定されたとき、ハードディスク装置側の入力モードを磁気記録再生装置側のダビングモードに設定すると共に、光ディスク装置側の入力モードをハードディスク装置側のダビングモードに設定することを特徴とする請求項２に記載の複合型記録再生装置。
【請求項４】
前記第３のダビング動作手段は、前記第３のダビングモードに設定され、ダビング開始指示が与えられると、ハードディスク装置を記録動作させると共に磁気記録再生装置を再生動作させる第３の前段ダビング動作手段と、前記磁気記録再生装置の再生動作が停止されると共にハードディスク装置の記録動作が停止された後、光ディスク装置を記録動作させると共にハードディスク装置を再生動作させる第３の後段ダビング動作手段とを有し、
前記第３のダビング停止手段は、磁気テープに記録されているタイトルの再生が完了すると、磁気記録再生装置の再生動作を停止させると共にハードディスク装置の記録動作を停止させる第３の前段ダビング停止手段と、ハードディスクに記録されているタイトルの光ディスクへのダビングが完了すると、ハードディスク装置の再生動作を停止させると共に光ディスク装置の記録動作を停止させる第３の後段ダビング停止手段とを有することを特徴とする請求項２に記載の複合型記録再生装置。
【発明の詳細な説明】
【技術分野】
【０００１】
本発明は、ハードディスクに対して情報の記録／再生を行うハードディスク装置と、光ディスクに対して情報の記録／再生を行う光ディスク装置と、磁気テープに対して情報の記録／再生を行う磁気記録再生装置とを含み構成された複合型記録再生装置に関し、特に、各装置間のダビングを行うダビング機能に関する。
【背景技術】
【０００２】
従来から、ハードディスク装置（ハードディスクレコーダ）と光ディスク装置（ＤＶＤレコーダ）との複合型記録再生装置、光ディスク装置と磁気記録再生装置としてのＶＣＲ（ビデオカセットレコーダ）との複合型記録再生装置、ハードディスク装置と光ディスク装置とＶＣＲとの複合型記録再生装置などが知られている。
【０００３】
ところで、ハードディスク装置と光ディスク装置とＶＣＲとから構成される従来の複合型記録再生装置では、ハードディスク装置から光ディスク装置にダビングを行う「ＨＤＤ→ＤＶＤ」ダビングモード、ハードディスク装置からＶＣＲにダビングを行う「ＨＤＤ→ＶＣＲ」ダビングモード、光ディスク装置からハードディスク装置にダビングを行う「ＤＶＤ→ＨＤＤ」ダビングモード、光ディスク装置からＶＣＲにダビングを行う「ＤＶＤ→ＶＣＲ」ダビングモード、ＶＣＲからハードディスク装置にダビングを行う「ＶＣＲ→ＨＤＤ」ダビングモード、ＶＣＲから光ディスク装置にダビングを行う「ＶＣＲ→ＤＶＤ」ダビングモードとの６種類のダビングモードが有り、６方向のダビングができることを謳い文句としている。
【特許文献１】特開２００２−１３３８４１号公報
【発明の開示】
【発明が解決しようとする課題】
【０００４】
ところが、例えば、ハードディスク装置から光ディスク装置およびＶＣＲへのダビングを行いたい場合ある。このような場合、ユーザは、リモコンを操作してハードディスク装置から光ディスク装置へのダビングモードに設定して、このダビングを行わせ、このダビングが完了した後、再びリモコンを操作してハードディスク装置からＶＣＲへのダビングモードに設定して、このダビングを行わせ、このダビングが完了すると、ハードディスク装置から光ディスク装置およびＶＣＲへのダビングが完了することになる。
【０００５】
要するに、ハードディスク装置と光ディスク装置とＶＣＲとから構成される従来の複合型記録再生装置では、ハードディスク装置から光ディスク装置およびＶＣＲへのダビング、光ディスク装置からハードディスク装置およびＶＣＲへのダビング、あるいはＶＣＲからハードディスク装置および光ディスク装置へのダビングを行う場合、１度のリモコン操作では、１つのデバイスから１つのデバイスへのダビングしか出来ないと課題があった。
【０００６】
なお、特許文献１に記載の記録再生装置では、ＤＶＤ再生機（前記光ディスク装置に相当）によって再生された情報をハードディスクドライブ（前記ハードディスク装置に相当）とビデオ録再機（前記ＶＣＲに相当）に記録（ダビング）できることが開示されているが、ハードディスク装置から光ディスク装置およびＶＣＲへのダビング、ＶＣＲからハードディスク装置および光ディスク装置へのダビングについては開示されていない。
【０００７】
本発明は、上記のような課題を解決するためになされたもので、ハードディスク装置と光ディスク装置と磁気記録再生装置との間において、１つのデバイスから複数のデバイスへの一度の操作でダビングすることができる複合型記録再生装置を提供することを目的とする。
【課題を解決するための手段】
【０００８】
上記目的を達成するために、請求項１の発明は、ハードディスクに対して情報の記録／再生を行うハードディスク装置と、光ディスクに対して情報の記録／再生を行う光ディスク装置と、磁気テープに対して情報の記録／再生を行う磁気記録再生装置とを含み構成された複合型記録再生装置において、ハードディスク装置から光ディスク装置および磁気記録再生装置へのダビングを行うための第１のダビングモードが選択され決定されたとき、光ディスク装置側の入力モードをハードディスク装置側のダビングモードに設定すると共に、磁気記録再生装置側の入力モードをハードディスク装置側／光ディスク装置側のダビングモードに設定する第１のダビングモード設定手段と、前記第１のダビングモードに設定され、ダビング開始指示が与えられると、光ディスク装置および磁気記録再生装置を記録動作させると共に、ハードディスク装置を再生動作させる第１のダビング動作手段と、ハードディスクに記録されているタイトルの再生が完了すると、ハードディスク装置の再生動作を停止させると共に光ディスク装置および磁気記録再生装置の記録動作を停止させ、第１のダビングモードによるダビングを停止させる第１のダビング停止手段と、光ディスク装置からハードディスク装置および磁気記録再生装置へのダビングを行うための第２のダビングモードが選択され決定されたとき、ハードディスク装置側の入力モードを光ディスク装置側のダビングモードに設定すると共に、磁気記録再生装置側の入力モードをハードディスク装置側／光ディスク装置側のダビングモードに設定する第２のダビングモード設定手段と、前記第２のダビングモードに設定され、ダビング開始指示が与えられると、ハードディスク装置および磁気記録再生装置を記録動作させると共に光ディスク装置を再生動作させる第２のダビング動作手段と、光ディスクに記録されているタイトルの再生が完了すると、光ディスク装置の再生動作を停止させると共にハードディスク装置および磁気記録再生装置の記録動作を停止させ、第２のダビングモードによるダビングを停止させる第２のダビング停止手段と、磁気記録再生装置からハードディスク装置および光ディスク装置へのダビングを行うための第３のダビングモードが選択され決定されたとき、ハードディスク装置側の入力モードを磁気記録再生装置側のダビングモードに設定すると共に、光ディスク装置側の入力モードをハードディスク装置側のダビングモードに設定する第３のダビングモード設定手段と、前記第３のダビングモードに設定され、ダビング開始指示が与えられると、ハードディスク装置を記録動作させると共に磁気記録再生装置を再生動作させる第３の前段ダビング動作手段と、磁気テープに記録されているタイトルの再生が完了すると、磁気記録再生装置の再生動作を停止させると共にハードディスク装置の記録動作を停止させる第３の前段ダビング停止手段と、前記磁気記録再生装置の再生動作が停止されると共にハードディスク装置の記録動作が停止された後、光ディスク装置を記録動作させると共にハードディスク装置を再生動作させる第３の後段ダビング動作手段と、ハードディスクに記録されているタイトルの光ディスクへのダビングが完了すると、ハードディスク装置の再生動作を停止させると共に光ディスク装置の記録動作を停止させる第３の後段ダビング停止手段とを有するシステムコントローラを備えたことを特徴とする複合型記録再生装置を提供する。
【０００９】
この構成において、第１のダビングモード設定手段は、光ディスク装置側の入力モードをハードディスク装置側のダビングモードに設定すると共に、磁気記録再生装置側の入力モードをハードディスク装置側／光ディスク装置側のダビングモードに設定する。第１のダビング動作手段は、ダビング開始指示されると、光ディスク装置および磁気記録再生装置を記録動作させると共に、ハードディスク装置を再生動作させる。そして、第１のダビング停止手段は、ハードディスクに記録されているタイトルの再生が完了したことを検知すると、ハードディスク装置の再生動作を停止させると共に光ディスク装置および磁気記録再生装置の記録動作を停止させ、第１のダビングモードによるダビングを停止させる。
【００１０】
第２のダビングモード設定手段は、ハードディスク装置側の入力モードを光ディスク装置側のダビングモードに設定すると共に、磁気記録再生装置の入力モードをハードディスク装置側／光ディスク装置側のダビングモードに設定する。第２のダビング動作手段は、ダビング開始指示されると、ハードディスク装置および磁気記録再生装置を記録動作させると共に、光ディスク装置を再生動作させる。そして、第２のダビング停止手段は、光ディスクに記録されているタイトルの再生が完了したことを検知すると、光ディスク装置の再生動作を停止させると共にハードディスク装置および磁気記録再生装置の記録動作を停止させ、第２のダビングモードによるダビングを停止させる。
【００１１】
第３のダビングモード設定手段は、ハードディスク装置側の入力モードを磁気記録再生側のダビングモードに設定すると共に、光ディスク装置側の入力モードをハードディスク装置側のダビングモードに設定する。第３の前段ダビング動作手段は、ダビング開始指示されると、ハードディスク装置を記録動作させると共に、磁気記録再生装置を再生動作させる。そして、第３の前段ダビング停止手段は、磁気テープに記録されているタイトルの再生が完了したことを検知すると、磁気記録再生装置の再生動作を停止させると共にハードディスク装置の記録動作を停止させ、前段のダビングを停止させる。
【００１２】
次に、第３の後段ダビング動作手段は、光ディスク装置を記録動作させると共にハードディスク装置を再生動作させる。そして、第３の後段ダビング停止手段は、ハードディスクに記録されているタイトルの光ディスクへのダビングが完了したことを検知すると、ハードディスク装置の再生動作を停止させると共に光ディスク装置の記録動作を停止させ、後段のダビングを停止させる。
【００１３】
この構成によれば、ハードディスク装置から光ディスク装置および磁気記録再生装置へのダビングを行うための第１のダビングモードと、光ディスク装置からハードディスク装置および磁気記録再生装置へのダビングを行うための第２のダビングモードと、磁気記録再生装置からハードディスク装置および光ディスク装置へのダビングを行うための第３のダビングモードとを設けたので、ハードディスク装置と光ディスク装置と磁気記録再生装置との間において、１つのデバイスから複数のデバイスへの一度の操作でダビングすることができ、ユーザにとっては、操作が簡単で、使い勝手が良いものとなる。
【００１４】
請求項２の発明は、ハードディスクに対して情報の記録／再生を行うハードディスク装置と、光ディスクに対して情報の記録／再生を行う光ディスク装置と、磁気テープに対して情報の記録／再生を行う磁気記録再生装置とを含み構成された複合型記録再生装置において、ハードディスク装置から光ディスク装置および磁気記録再生装置へのダビングを行うための第１のダビングモードに設定する第１のダビングモード設定手段と、前記第１のダビングモードに設定され、ダビング開始指示が与えられると、光ディスク装置および磁気記録再生装置を記録動作させると共に、ハードディスク装置を再生動作させる第１のダビング動作手段と、ハードディスクに記録されているタイトルの再生が完了すると、ハードディスク装置の再生動作を停止させると共に光ディスク装置および磁気記録再生装置の記録動作を停止させ、第１のダビングモードによるダビングを停止させる第１のダビング停止手段と、光ディスク装置からハードディスク装置および磁気記録再生装置へのダビングを行うための第２のダビングモードに設定する第２のダビングモード設定手段と、前記第２のダビングモードに設定され、ダビング開始指示が与えられると、ハードディスク装置および磁気記録再生装置を記録動作させると共に光ディスク装置を再生動作させる第２のダビング動作手段と、光ディスクに記録されているタイトルの再生が完了すると、光ディスク装置の再生動作を停止させると共にハードディスク装置および磁気記録再生装置の記録動作を停止させ、第２のダビングモードによるダビングを停止させる第２のダビング停止手段と、磁気記録再生装置からハードディスク装置および光ディスク装置へのダビングを行うための第３のダビングモードに設定する第３のダビングモード設定手段と、前記第３のダビングモードに設定され、ダビング開始指示が与えられると、ハードディスク装置と光ディスク装置を順次的に記録動作させると共に磁気記録再生装置を再生動作させる第３のダビング動作手段と、磁気テープに記録されているタイトルの再生が完了すると、磁気記録再生装置の再生動作を停止させると共にハードディスク装置と光ディスク装置を順次的に記録動作を停止させる第３のダビング停止手段とを有するシステムコントローラを備えたことを特徴とする複合型記録再生装置を提供する。
【００１５】
この構成において、第１のダビングモード設定手段は、ハードディスク装置から光ディスク装置および磁気記録再生装置へのダビングを行うための第１のダビングモードに設定する。第１のダビング動作手段は、ダビング開始指示されると、光ディスク装置および磁気記録再生装置を記録動作させると共に、ハードディスク装置を再生動作させる。そして、第１のダビング停止手段は、ハードディスクに記録されているタイトルの再生が完了したことを検知すると、ハードディスク装置の再生動作を停止させると共に光ディスク装置および磁気記録再生装置の記録動作を停止させ、第１のダビングモードによるダビングを停止させる。
【００１６】
第２のダビングモード設定手段は、光ディスク装置からハードディスク装置および磁気記録再生装置へのダビングを行うための第２のダビングモードに設定する。第２のダビング動作手段は、ダビング開始指示されると、ハードディスク装置および磁気記録再生装置を記録動作させると共に、光ディスク装置を再生動作させる。そして、第２のダビング停止手段は、光ディスクに記録されているタイトルの再生が完了したことを検知すると、光ディスク装置の再生動作を停止させると共にハードディスク装置および磁気記録再生装置の記録動作を停止させ、第２のダビングモードによるダビングを停止させる。
【００１７】
第３のダビングモード設定手段は、磁気記録再生装置からハードディスク装置および光ディスク装置へのダビングを行うための第３のダビングモードに設定する。第３の前段ダビング動作手段は、ダビング開始指示されると、ハードディスク装置を記録動作させると共に、磁気記録再生装置を再生動作させる。そして、第３の前段ダビング停止手段は、磁気テープに記録されているタイトルの再生が完了したことを検知すると、磁気記録再生装置の再生動作を停止させると共にハードディスク装置の記録動作を停止させ、前段のダビングを停止させる。
【００１８】
次に、第３の後段ダビング動作手段は、光ディスク装置を記録動作させると共にハードディスク装置を再生動作させる。そして、第３の後段ダビング停止手段は、ハードディスクに記録されているタイトルの光ディスクへのダビングが完了したことを検知すると、ハードディスク装置の再生動作を停止させると共に光ディスク装置の記録動作を停止させ、後段のダビングを停止させる。
【００１９】
この構成によれば、ハードディスク装置から光ディスク装置および磁気記録再生装置へのダビングを行うための第１のダビングモードと、光ディスク装置からハードディスク装置および磁気記録再生装置へのダビングを行うための第２のダビングモードと、磁気記録再生装置からハードディスク装置および光ディスク装置へのダビングを行うための第３のダビングモードとを設けたので、ハードディスク装置と光ディスク装置と磁気記録再生装置との間において、１つのデバイスから複数のデバイスへの一度の操作でダビングすることができ、ユーザにとっては、操作が簡単で、使い勝手が良いものとなる。
【００２０】
請求項３の発明では、請求項２の発明において、前記第１のダビングモード設定手段は、ハードディスク装置から光ディスク装置および磁気記録再生装置へのダビングを行うための第１のダビングモードが選択され決定されたとき、光ディスク装置側の入力モードをハードディスク装置側のダビングモードに設定すると共に、磁気記録再生装置側の入力モードをハードディスク装置側／光ディスク装置側のダビングモードに設定し、前記第２のダビングモード設定手段は、光ディスク装置からハードディスク装置および磁気記録再生装置へのダビングを行うための第２のダビングモードが選択され決定されたとき、ハードディスク装置側の入力モードを光ディスク装置側のダビングモードに設定すると共に、磁気記録再生装置側の入力モードをハードディスク装置側／光ディスク装置側のダビングモードに設定し、前記第３のダビングモード設定手段は、磁気記録再生装置からハードディスク装置および光ディスク装置へのダビングを行うための第３のダビングモードが選択され決定されたとき、ハードディスク装置側の入力モードを磁気記録再生装置側のダビングモードに設定すると共に、光ディスク装置側の入力モードをハードディスク装置側のダビングモードに設定するので、各装置の入力モードが、第１のダビングモードと第２のダビングモードと第３のダビングモードとにそれぞれ応じて設定することができ、各装置間のダビングが可能になる。
【００２１】
請求項４の発明では、請求項２の発明において、前記第３のダビング動作手段は、前記第３のダビングモードに設定され、ダビング開始指示が与えられると、ハードディスク装置を記録動作させると共に磁気記録再生装置を再生動作させる第３の前段ダビング動作手段と、前記磁気記録再生装置の再生動作が停止されると共にハードディスク装置の記録動作が停止された後、光ディスク装置を記録動作させると共にハードディスク装置を再生動作させる第３の後段ダビング動作手段とを有し、前記第３のダビング停止手段は、磁気テープに記録されているタイトルの再生が完了すると、磁気記録再生装置の再生動作を停止させると共にハードディスク装置の記録動作を停止させる第３の前段ダビング停止手段と、ハードディスクに記録されているタイトルの光ディスクへのダビングが完了すると、ハードディスク装置の再生動作を停止させると共に光ディスク装置の記録動作を停止させる第３の後段ダビング停止手段とを有するので、磁気記録再生装置からハードディスク装置および光ディスク装置へのダビングが可能になる。
【発明の効果】
【００２２】
以上のように本発明によれば、ハードディスク装置から光ディスク装置および磁気記録再生装置へのダビングを行うための第１のダビングモードと、光ディスク装置からハードディスク装置および磁気記録再生装置へのダビングを行うための第２のダビングモードと、磁気記録再生装置からハードディスク装置および光ディスク装置へのダビングを行うための第３のダビングモードとを設けたので、ハードディスク装置と光ディスク装置と磁気記録再生装置との間において、１つのデバイスから複数のデバイスへの一度の操作でダビングすることができ、ユーザにとっては、操作が簡単で、使い勝手が良いものとなる。
【発明を実施するための最良の形態】
【００２３】
以下、添付図面を参照しつつ、本発明の実施の形態について説明する。図１は本発明の実施形態に係る複合型記録再生装置の構成を示すブロック図である。図１において、複合型記録再生装置１は、図示しないアンテナからのテレビ放送信号を受信し、所望のチャンネルのテレビ放送信号を選択して映像音声信号として出力するチューナ１と、ＤＶＤなどの光ディスク１５に対して情報の記録／再生を行う光ディスク装置（ＤＶＤレコーダ）２と、ハードディスク１４に対して情報の記録／再生を行うハードディスク装置（ハードディスクレコーダ）３と、磁気テープであるビデオカセットテープ１７に対して情報の記録／再生を行う磁気記録再生装置としてのＶＣＲ（ビデオカセットレコーダ）１７と、チューナ１または光ディスク装置２またはハードディスク装置３またはＶＣＲ４から出力された映像音声信号を復号するデコーダ５と、チューナ１が受信可能な放送チャンネルを記憶すると共にシステムコントローラ１０の動作に必要なプログラムやデータなどを記憶するフラッシュＲＯＭ６と、システムコントローラ１０の動作に必要なデータを一時的に記憶するＲＡＭ１６とを備えている。
【００２４】
また、この複合型記録再生装置１は、デコーダ５で復号された映像信号などをテレビジョン受像機１３のディスプレイ装置１３１で表示可能な映像信号に変換する映像出力部７と、タイトルリスト画面やセットアップ画面などをテレビジョン受像機１３のディスプレイ装置１３１に表示させるためのＯＳＤ部１２と、デコーダ５で復号された音声信号をテレビジョン受像機１３のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する図示しないＣＰＵなどで構成される前記システムコントローラ１０とを備えている。
【００２５】
システムコントローラ１０は、本実施形態の特徴として、ハードディスク装置３から光ディスク装置２およびＶＣＲ４へのダビングを行うための第１のダビングモードが選択され決定されたとき、光ディスク装置２側の入力モードをハードディスク装置３側のダビングモードに設定すると共に、ＶＣＲ４側の入力モードをハードディスク装置３側／光ディスク装置２側のダビングモードに設定する第１のダビングモード設定手段と、前記第１のダビングモードに設定され、ダビング開始指示が与えられると、光ディスク装置２およびＶＣＲ４を記録動作させると共に、ハードディスク装置３を再生動作させる第１のダビング動作手段と、ハードディスク１４に記録されているタイトルの再生が完了すると、ハードディスク装置３の再生動作を停止させると共に光ディスク装置２およびＶＣＲ４の記録動作を停止させ、第１のダビングモードによるダビングを停止させる第１のダビング停止手段とを有する。
【００２６】
また、システムコントローラ１０は、光ディスク装置２からハードディスク装置３およびＶＣＲ４へのダビングを行うための第２のダビングモードが選択され決定されたとき、ハードディスク装置３側の入力モードを光ディスク装置２側のダビングモードに設定すると共に、ＶＣＲ４側の入力モードをハードディスク装置３側／光ディスク装置２側のダビングモードに設定する第２のダビングモード設定手段と、前記第２のダビングモードに設定され、ダビング開始指示が与えられると、ハードディスク装置３およびＶＣＲ４を記録動作させると共に光ディスク装置２を再生動作させる第２のダビング動作手段と、光ディスク１５に記録されているタイトルの再生が完了すると、光ディスク装置２の再生動作を停止させると共にハードディスク装置３およびＶＣＲ４の記録動作を停止させ、第２のダビングモードによるダビングを停止させる第２のダビング停止手段とを有する。
【００２７】
更に、システムコントローラ１０は、ＶＣＲ４からハードディスク装置３および光ディスク装置２へのダビングを行うための第３のダビングモードが選択され決定されたとき、ハードディスク装置３側の入力モードをＶＣＲ４側のダビングモードに設定すると共に、光ディスク装置２側の入力モードをハードディスク装置３側のダビングモードに設定する第３のダビングモード設定手段と、前記第３のダビングモードに設定され、ダビング開始指示が与えられると、ハードディスク装置３を記録動作させると共にＶＣＲ４を再生動作させる第３の前段ダビング動作手段と、ビデオカセットテープ１７に記録されているタイトルの再生が完了すると、ＶＣＲ４の再生動作を停止させると共にハードディスク装置３の記録動作を停止させる第３の前段ダビング停止手段と、ＶＣＲ４の再生動作が停止されると共にハードディスク装置３の記録動作が停止された後、光ディスク装置２を記録動作させると共にハードディスク装置３を再生動作させる第３の後段ダビング動作手段と、ハードディスク１４に記録されているタイトルの光ディスク１５へのダビングが完了すると、ハードディスク装置３の再生動作を停止させると共に光ディスク装置２の記録動作を停止させる第３の後段ダビング停止手段とを有する。
【００２８】
図２は本実施形態においてリモコンのキー配置の一例を示す図である。図２において、リモコン１１の操作パネル２００には、ＴＶ電源キー２１１、入力切換キー２１２、レコーダ電源キー２１３、音量キー２１４、複数の数字キー２１５、ＨＤＤモード切換キー２１６、ＤＶＤモード切換キー２１７、ＶＣＲモード切換キー２１８、再生リストキー２１９、機能表示キー２２０、上方向きー２２１、下方向キー２２２、左方向キー２２３、右方向キー２２４、決定キー２２５、記録キー２２６、スキップキー２２７、一時停止キー２２８、早戻しキー２２９、停止キー２３０、再生キー２３１、早送りキー２３２などが配置されている。なお、ここでのキーの配置および個数は一例であるので、これに限ることはない。
【００２９】
図３は本実施形態においてセットアップ画面に表示されているダビングモードの項目を示す画面図である。このセットアップ画面１３１ａには、９種類のダビングモードの項目が表示されている。ダビングモードの項目としては、ハードディスク装置から光ディスク装置にダビングを行う項目「ＨＤＤ→ＤＶＤ」、ハードディスク装置からＶＣＲにダビングを行う項目「ＨＤＤ→ＶＣＲ」、光ディスク装置からハードディスク装置にダビングを行う項目「ＤＶＤ→ＨＤＤ」、光ディスク装置からＶＣＲにダビングを行う項目「ＤＶＤ→ＶＣＲ」、ＶＣＲからハードディスク装置にダビングを行う項目「ＶＣＲ→ＨＤＤ」、ＶＣＲから光ディスク装置にダビングを行う項目「ＶＣＲ→ＤＶＤ」、ハードディスク装置から光ディスク装置およびＶＣＲにダビングを行う項目「ＨＤＤ→ＤＶＤ／ＨＤＤ→ＶＣＲ」、光ディスク装置からハードディスク装置およびＶＣＲにダビングを行う項目「ＤＶＤ→ＨＤＤ／ＤＶＤ→ＶＣＲ」、ＶＣＲからハードディスク装置および光ディスク装置にダビングを行う項目「ＶＣＲ→ＨＤＤ／ＶＣＲ→ＤＶＤ」が有る。
【００３０】
図４は本実施形態において第１のダビングモードに設定された場合の処理を説明するためのフローチャートである。このフローチャートおよび図１〜図３を参照して第１のダビングモードに設定された場合の処理について説明する。
【００３１】
先ず、ユーザは、例えば、図３に示すようなセットアップ画面１３１ａをディスプレイ装置１３１に表示させるため、リモコン１１の機能表示キー２２０を押下すると、システムコントローラ１０は、セットアップ画面表示指示がされたことを検知し（ステップＳ１）、これにより、フラッシュＲＯＭ６からセットアップ画面データを読み出し、ＯＳＤ部１２でＯＳＤ処理し、映像出力部７を介して、セットアップ画面信号をテレビジョン受像機１３のディスプレイ装置１３１に供給することにより、セットアップ画面をディスプレイ装置１３１に表示させる。そして、ユーザは、そのセットアップ画面のダビングモードの項目を、リモコン１１の操作により選択し決定すると、システムコントローラ１０は、例えば、図３に示すようなセットアップ画面１３１ａをディスプレイ装置１３１に表示させる（ステップＳ２）。
【００３２】
セットアップ画面１３１ａから例えば、システムコントローラ１０は、項目「ＨＤＤ→ＤＶＤ／ＨＤＤ→ＶＣＲ」がリモコン１１の操作により選択され（ステップＳ３）、決定されると、第１のダビングモード設定手段により、装置のモードが第１のダビングモードに設定される（ステップＳ４）。第１のダビングモードとは、ハードディスク装置３から光ディスク装置２およびＶＣＲ４へのダビングを行うためのモードのことを言い、第１のダビングモードが選択され決定されたとき、システムコントローラ１０の第１のダビングモード設定手段は、光ディスク装置２側の入力モードをハードディスク装置３側のダビングモードに設定すると共に、ＶＣＲ４側の入力モードをハードディスク装置３側／光ディスク装置２側のダビングモードに設定する。
【００３３】
このようにして第１のダビングモードに設定され、システムコントローラ１０の第１のダビング動作手段は、第１のダビングモードの設定に関する準備が完了したことを検知し（ステップＳ５）、リモコン１１の操作によりダビング開始指示されると（ステップＳ６）、等速ダビングが行えるように、光ディスク装置２およびＶＣＲ４を記録動作させると共に、ハードディスク装置３を再生動作させる（ステップＳ７）。
【００３４】
そして、システムコントローラ１０は、光ディスク１５およびビデオカセットテープ１７の一方または／および両方の容量の不足を検知したときは（ステップＳ８）、ダビングを停止させるが（ステップＳ１０）、光ディスク１５およびビデオカセットテープ１７の容量の不足を検知しないときは（ステップＳ８）、そのままダビングを行い、システムコントローラ１０の第１のダビング停止手段は、ハードディスク１４に記録されているタイトルの再生が完了したことを検知すると（ステップＳ９）、ハードディスク装置３の再生動作を停止させると共に光ディスク装置２およびＶＣＲ４の記録動作を停止させ、第１のダビングモードによるダビングを停止させる（ステップＳ１０）。
【００３５】
図５は本実施形態において第２のダビングモードに設定された場合の処理を説明するためのフローチャートである。このフローチャートおよび図１〜図４を参照して第２のダビングモードに設定された場合の処理について説明する。
【００３６】
セットアップ画面１３１ａから例えば、システムコントローラ１０は、項目「ＤＶＤ→ＨＤＤ／ＤＶＤ→ＶＣＲ」がリモコン１１の操作により選択され（ステップＳ１１）、決定されると、第２のダビングモード設定手段により、装置のモードが第２のダビングモードに設定される（ステップＳ１２）。第２のダビングモードとは、光ディスク装置２からハードディスク装置３およびＶＣＲ４へのダビングを行うためのモードのことを言い、第２のダビングモードが選択され決定されたとき、システムコントローラ１０の第２のダビングモード設定手段は、ハードディスク装置３側の入力モードを光ディスク装置２側のダビングモードに設定すると共に、ＶＣＲ４側の入力モードをハードディスク装置３側／光ディスク装置２側のダビングモードに設定する。
【００３７】
このようにして第２のダビングモードに設定され、システムコントローラ１０の第２のダビング動作手段は、第２のダビングモードの設定に関する準備が完了したことを検知し（ステップＳ１３）、リモコン１１の操作によりダビング開始指示されると（ステップＳ１４）、ハードディスク装置３およびＶＣＲ４を記録動作させると共に、光ディスク装置３を再生動作させる（ステップＳ１５）。
【００３８】
そして、システムコントローラ１０は、ハードディスク１４およびビデオカセットテープ１７の一方または／および両方の容量の不足を検知したときは（ステップＳ１６）、ダビングを停止させるが（ステップＳ１８）、ハードディスク１４およびビデオカセットテープ１７の容量の不足を検知しないときは（ステップＳ１６）、そのままダビングを行い、システムコントローラ１０の第２のダビング停止手段は、光ディスク１５に記録されているタイトルの再生が完了したことを検知すると（ステップＳ１７）、光ディスク装置２の再生動作を停止させると共にハードディスク装置３およびＶＣＲ４の記録動作を停止させ、第２のダビングモードによるダビングを停止させる（ステップＳ１８）。
【００３９】
図６は本実施形態において第３のダビングモードに設定された場合の処理を説明するためのフローチャートである。このフローチャートおよび図１〜図４を参照して第３のダビングモードに設定された場合の処理について説明する。通常、光ディスク装置２とハードディスク装置３とのビデオエンコーダは１個なので、光ディスク装置２あるいはハードディスク装置３の何れかしか記録動作状態に設定できないが、ＶＣＲ４からハードディスク装置３へのダビングと、ハードディスク装置３から光ディスク装置２へのダビングのように、ダビング動作を２つに分けることにより、１度の操作で、ＶＣＲ４からハードディスク装置３および光ディスク装置２へのダビングが可能になる。以下、ＶＣＲ４からハードディスク装置３および光ディスク装置２へのダビングに関する処理を説明する。
【００４０】
セットアップ画面１３１ａから例えば、システムコントローラ１０は、項目「ＶＣＲ→ＨＤＤ／ＶＣＲ→ＤＶＤ」がリモコン１１の操作により選択され（ステップＳ１９）、決定されると、第３のダビングモード設定手段により、装置のモードが第３のダビングモードに設定される（ステップＳ２０）。第３のダビングモードとは、ＶＣＲ４からハードディスク装置３および光ディスク装置２へのダビングを行うためのモードのことを言い、第３のダビングモードが選択され決定されたとき、システムコントローラ１０の第３のダビングモード設定手段は、ハードディスク装置３側の入力モードをＶＣＲ４側のダビングモードに設定すると共に、光ディスク装置２側の入力モードをハードディスク装置３側のダビングモードに設定する。
【００４１】
このようにして第３のダビングモードに設定され、システムコントローラ１０の第３の前段ダビング動作手段は、第３のダビングモードの設定に関する準備が完了したことを検知し（ステップＳ２１）、リモコン１１の操作によりダビング開始指示されると（ステップＳ２２）、等速ダビングを行えるように、ハードディスク装置３を記録動作させると共に、ＶＣＲ４を再生動作させる（ステップＳ２３）。
【００４２】
そして、システムコントローラ１０は、ハードディスク１４の容量の不足を検知したときは（ステップＳ２４）、本ダビングを停止させるが、光ディスク１５の容量の不足を検知しないときは（ステップＳ２４）、そのままダビングを行い、システムコントローラ１０の第３の前段ダビング停止手段は、ビデオカセットテープ１７に記録されているタイトルの再生が完了したことを検知すると（ステップＳ２５）、ＶＣＲ４の再生動作を停止させると共にハードディスク装置３の記録動作を停止させ、前段のダビングを停止させる（ステップＳ２６）。
【００４３】
次に、システムコントローラ１０の第３の後段ダビング動作手段は、等速ダビングまたは高速ダビングを行えるように、光ディスク装置２を記録動作させると共にハードディスク装置３を再生動作させる（ステップＳ２７）。そして、システムコントローラ１０は、光ディスク１５の容量の不足を検知したときは（ステップＳ２８）、後段のダビングを停止させるが（ステップＳ３０）、光ディスク１５の容量の不足を検知しないときは（ステップＳ２８）、そのままダビングを行い、システムコントローラ１０の第３の後段ダビング停止手段は、ハードディスク１４に記録されているタイトルの光ディスク１５へのダビング（コピー）が完了したことを検知すると（ステップＳ２９）、ハードディスク装置３の再生動作を停止させると共に光ディスク装置２の記録動作を停止させ、後段のダビングを停止させる（ステップＳ３０）。
【００４４】
なお、第３のダビングモードでは、ＶＣＲ４からハードディスク装置３へのダビング、次にハードディスク装置３から光ディスク装置２へのダビングを行ったが、ＶＣＲ４から光ディスク装置２へのダビング、次に光ディスク装置２からハードディスク装置３へのダビングを行っても良い。また、光ディスク装置２とハードディスク装置３とのビデオエンコーダをそれぞれ別に設けて、ビデオエンコーダを２個にした場合は、ＶＣＲ４からハードディスク装置３および光ディスク装置２へのダビングを同時に行えるが、ビデオエンコーダが２個になることにより、装置がコストアップする傾向がある。
【００４５】
以上説明したように本実施形態によれば、ハードディスク装置３から光ディスク装置２およびＶＣＲ４へのダビングを行うための第１のダビングモードと、光ディスク装置２からハードディスク装置３およびＶＣＲ４へのダビングを行うための第２のダビングモードと、ＶＣＲ４からハードディスク装置３および光ディスク装置２へのダビングを行うための第３のダビングモードとを設けたので、ハードディスク装置３と光ディスク装置２とＶＣＲ４との間において、１つのデバイスから複数のデバイスへの一度の操作でダビングすることができ、ユーザにとっては、操作が簡単で、使い勝手が良いものとなる。
【産業上の利用可能性】
【００４６】
本発明は、ハードディスク装置（ハードディスクレコーダ）と光ディスク装置（ＤＶＤレコーダ）と磁気記録再生装置（ビデオカセットレコーダ）とから構成される複合型記録再生装置に利用可能であり、１つのデバイスから複数のデバイスへの一度の操作でダビングすることができるようになる。
【図面の簡単な説明】
【００４７】
【図１】本発明の実施形態に係る複合型記録再生装置の構成を示すブロック図である。
【図２】前記実施形態においてリモコンのキー配置の一例を示す図である。
【図３】前記実施形態においてセットアップ画面に表示されているダビングモードの項目を示す画面図である。
【図４】前記実施形態において第１のダビングモードに設定された場合の処理を説明するためのフローチャートである。
【図５】前記実施形態において第２のダビングモードに設定された場合の処理を説明するためのフローチャートである。
【図６】前記実施形態において第３のダビングモードに設定された場合の処理を説明するためのフローチャートである。
【符号の説明】
【００４８】
Ａ    複合型記録再生装置
２    光ディスク装置
３    ハードディスク装置
４    ＶＣＲ（磁気記録再生装置）
１４    ハードディスク
１５    光ディスク
１７    ビデオカセットテープ（磁気テープ）
【図１】
2008226346.tif 000003
【図２】
2008226346.tif 000004
【図３】
2008226346.tif 000005
【図４】
2008226346.tif 000006
【図５】
2008226346.tif 000007
【図６】
2008226346.tif 000008